(57)【要約】【課題】見開き原稿の第一面画像を１枚目フォーマット画像とし、見開き原稿から合成コピーを効率よく得ること。【解決手段】原稿読取位置にセットされた原稿を読み取る原稿読取手段と、原稿読取手段で読み取った画像を記憶する画像メモリ（ＤＲＡＭ）８３と、原稿に対する出力設定の操作を行なう操作手段と、を有する画像形成装置において、操作手段は見開き原稿を１枚目フォーマット原稿として画像形成を指示するフォーマット入力機能を備え、フォーマット機能が指示された場合、見開き原稿を原稿読取手段で読み取って画像メモリ（ＤＲＡＭ）８３に記憶し、から画像データを読み出し、１枚目の見開き原稿の第一面画像をフォーマットとし、これに他の原稿画像を重ね合わせて合成するＭＳＵ合成部７９を具備する。【選択図】        図９
2005191612.tif 000002
【特許請求の範囲】
【請求項１】
原稿読取位置にセットされた原稿を読み取る原稿読取手段と、前記原稿読取手段で読み取った画像を記憶する画像記憶手段と、前記原稿に対する出力設定の操作を行なう操作手段と、を有する画像形成装置において、
前記操作手段は見開き原稿を１枚目フォーマット原稿として画像形成を指示するフォーマット入力機能を備え、
前記フォーマット機能が指示された場合、前記見開き原稿を前記原稿読取手段で読み取って前記画像記憶手段に記憶し、この画像記憶手段から画像データを読み出し、１枚目の見開き原稿の第一面画像をフォーマットとし、これに他の原稿画像を重ね合わせて合成する画像合成手段を具備することを特徴とする画像形成装置。
【請求項２】
前記画像合成手段は、１枚目の見開き原稿の第一面画像をフォーマットとし、このフォーマットを１枚目の見開き原稿の第二面画像および２枚目以降の見開き原稿画像と重ね合わせる際に、片面に画像を形成することを特徴とする請求項１に記載の画像形成装置。
【請求項３】
前記画像合成手段は、１枚目の見開き原稿の第一面画像をフォーマットとし、このフォーマットを１枚目の見開き原稿の第二面画像および２枚目以降の見開き原稿画像と重ね合わせる際に、両面に画像を形成することを特徴とする請求項１に記載の画像形成装置。
【請求項４】
さらに、画像を所定の角度回転する画像回転手段を備え、
前記操作手段は、１枚目の見開き原稿の第一面画像をフォーマットとし、第二面画像および２枚目以降の見開き原稿画像と重ね合わせて画像を形成する際に、前記第一面画像あるいは前記第二面画像を、前記画像回転手段によって回転して合成するための画像回転角度設定手段を有することを特徴とする請求項１、２または３に記載の画像形成装置。
【請求項５】
１枚目の見開き原稿の第一面画像をフォーマットとし、第二面画像および２枚目以降の見開き原稿画像と重ね合わせて画像形成する場合、前記第一面画像を指定された回転角度にしたがって回転し、前記第二面画像と重ね合わせることを特徴とする請求項４に記載の画像形成装置。
【請求項６】
１枚目の見開き原稿の第一面画像をフォーマットとし、第二面画像および２枚目以降の見開き原稿画像と重ね合わせて画像形成する場合、前記第一面画像を指定された回転角度にしたがって回転し、裏面画像と重ね合わせることを特徴とする請求項４に記載の画像形成装置。
【発明の詳細な説明】
【技術分野】
【０００１】
本発明は、複写機などの画像形成装置に関するものである。
【背景技術】
【０００２】
従来、デジタル画像形成装置では読み取った原稿画像に対し、ユーザが所望とする様々な画像出力の要求に応じるためにこれらを実現する画像編集や加工などを行なって出力する機能が設けられている。たとえば、環境資源やサプライの節約などの理由により、２枚の原稿を１枚に集約する集約コピーを行なう機能が装備されている。こうした状況で集約原稿、いわゆる見開き原稿を用いたコピーが多くなってきている。
【０００３】
複数原稿を画像合成してコピーする合成機能は現状の装置でも搭載されており、デジタル複写機特有の機能として利用されている。すなわち、片面原稿２枚を１枚に合成する合成機能、１枚目原稿と２枚目以降の原稿画像を合成する１枚目フォーマット合成機能などが提供されている。また、画像合成とは少し異なった集約コピーでは、両面原稿を片面に集約コピーする機能が知られている（たとえば、特許文献１参照）。
【０００４】
【特許文献１】特開平５−３４７７０１号公報
【発明の開示】
【発明が解決しようとする課題】
【０００５】
しかしながら、上記に示されるような従来の画像合成を行なう画像形成装置にあっては、１枚目フォーマット合成機能においては、片面原稿から合成する機能のみであるため、見開き原稿の第一面画像を１枚目フォーマット画像として合成することができなかった。すなわち、見開き原稿を一旦、片面コピーし、２枚の片面原稿を１枚目フォーマットに合成していた。
【０００６】
本発明は、上記に鑑みてなされたものであって、見開き原稿の第一面画像を１枚目フォーマット画像とし、見開き原稿から合成コピーを効率よく得ることを目的とする。
【課題を解決するための手段】
【０００７】
上述した課題を解決し、目的を達成するために、請求項１にかかる発明は、原稿読取位置にセットされた原稿を読み取る原稿読取手段と、前記原稿読取手段で読み取った画像を記憶する画像記憶手段と、前記原稿に対する出力設定の操作を行なう操作手段と、を有する画像形成装置において、前記操作手段は見開き原稿を１枚目フォーマット原稿として画像形成を指示するフォーマット入力機能を備え、前記フォーマット機能が指示された場合、前記見開き原稿を前記原稿読取手段で読み取って前記画像記憶手段に記憶し、この画像記憶手段から画像データを読み出し、１枚目の見開き原稿の第一面画像をフォーマットとし、これに他の原稿画像を重ね合わせて合成する画像合成手段を具備することを特徴とする。
【０００８】
この発明によれば、見開き原稿を原稿読取手段で読み取って画像記憶手段に記憶し、この画像記憶手段から画像データを読み出し、１枚目の見開き原稿の第一面画像をフォーマットとし、これに他の原稿画像を重ね合わせることにより、原稿が見開き原稿の場合でも第一面をフォーマット画像として合成することが可能になる。
【０００９】
また、請求項２にかかる発明は、前記画像合成手段は、１枚目の見開き原稿の第一面画像をフォーマットとし、このフォーマットを１枚目の見開き原稿の第二面画像および２枚目以降の見開き原稿画像と重ね合わせる際に、片面に画像を形成することを特徴とする。
【００１０】
この発明によれば、請求項１において、１枚目の見開き原稿の第一面画像をフォーマットとし、このフォーマットを１枚目の見開き原稿の第二面画像および２枚目以降の見開き原稿画像と重ね合わせる際に、片面に画像を形成することにより、原稿が見開き原稿の場合でも第一面をフォーマット画像として片面に合成することが可能になる。
【００１１】
また、請求項３にかかる発明は、前記画像合成手段は、１枚目の見開き原稿の第一面画像をフォーマットとし、このフォーマットを１枚目の見開き原稿の第二面画像および２枚目以降の見開き原稿画像と重ね合わせる際に、両面に画像を形成することを特徴とする。
【００１２】
この発明によれば、請求項１において、１枚目の見開き原稿の第一面画像をフォーマットとし、このフォーマットを１枚目の見開き原稿の第二面画像および２枚目以降の見開き原稿画像と重ね合わせる際に、片面に画像を形成することにより、原稿が見開き原稿の場合でも第一面をフォーマット画像として両面に合成することが可能になる。
【００１３】
また、請求項４にかかる発明は、さらに、画像を所定の角度回転する画像回転手段を備え、前記操作手段は、１枚目の見開き原稿の第一面画像をフォーマットとし、第二面画像および２枚目以降の見開き原稿画像と重ね合わせて画像を形成する際に、前記第一面画像あるいは前記第二面画像を、前記画像回転手段によって回転して合成するための画像回転角度設定手段を有することを特徴とする。
【００１４】
この発明によれば、請求項１、２または３において、１枚目の見開き原稿の第一面画像をフォーマットとし、第二面画像および２枚目以降の見開き原稿画像と重ね合わせて画像を形成する際に、第一面画像あるいは第二面画像を、画像回転手段によって回転して合成するための画像回転角度設定手段を有するので、原稿が見開き原稿で画像合成する場合、自在に画像を合成することが可能になる。
【００１５】
また、請求項５にかかる発明は、１枚目の見開き原稿の第一面画像をフォーマットとし、第二面画像および２枚目以降の見開き原稿画像と重ね合わせて画像形成する場合、前記第一面画像を指定された回転角度にしたがって回転し、前記第二面画像と重ね合わせることを特徴とする。
【００１６】
この発明によれば、請求項４において、１枚目の見開き原稿の第一面画像をフォーマットとし、第二面画像および２枚目以降の見開き原稿画像と重ね合わせて画像形成する場合、第一面画像を指定された回転角度にしたがって回転し、第二面画像と重ね合わせるため、原稿が見開き原稿で画像合成する場合、所望とする画像を自在に合成することが可能になる。
【００１７】
また、請求項６にかかる発明は、１枚目の見開き原稿の第一面画像をフォーマットとし、第二面画像および２枚目以降の見開き原稿画像と重ね合わせて画像形成する場合、前記第一面画像を指定された回転角度にしたがって回転し、裏面画像と重ね合わせることを特徴とする。
【００１８】
この発明によれば、請求項４において、１枚目の見開き原稿の第一面画像をフォーマットとし、第二面画像および２枚目以降の見開き原稿画像と重ね合わせて画像形成する場合、第一面画像を指定された回転角度にしたがって回転し、裏面画像と重ね合わせるので、原稿が見開き原稿で画像合成する場合でも、裏面画像の方向を自由に設定して出力することが可能になる。
【発明の効果】
【００１９】
本発明（請求項１）にかかる画像形成装置は、見開き原稿を原稿読取手段で読み取って画像記憶手段に記憶し、この画像記憶手段から画像データを読み出し、１枚目の見開き原稿の第一面画像をフォーマットとし、これに他の原稿画像を重ね合わせることにより、原稿が見開き原稿の場合でも第一面をフォーマット画像として合成することが可能になるため、見開き原稿から合成コピーを効率よく得ることができるという効果を奏する。
【００２０】
また、本発明（請求項２）にかかる画像形成装置は、請求項１において、１枚目の見開き原稿の第一面画像をフォーマットとし、このフォーマットを１枚目の見開き原稿の第二面画像および２枚目以降の見開き原稿画像と重ね合わせる際に、片面に画像を形成するため、原稿が見開き原稿の場合でも第一面をフォーマット画像として片面に効率よく合成することができるという効果を奏する。
【００２１】
また、本発明（請求項３）にかかる画像形成装置は、請求項１において、１枚目の見開き原稿の第一面画像をフォーマットとし、このフォーマットを１枚目の見開き原稿の第二面画像および２枚目以降の見開き原稿画像と重ね合わせる際に、片面に画像を形成するため、原稿が見開き原稿の場合でも第一面をフォーマット画像として両面に効率よく合成することができるという効果を奏する。
【００２２】
また、本発明（請求項４）にかかる画像形成装置は、請求項１、２または３において、１枚目の見開き原稿の第一面画像をフォーマットとし、第二面画像および２枚目以降の見開き原稿画像と重ね合わせて画像を形成する際に、第一面画像あるいは第二面画像を、画像回転手段によって回転して合成するための画像回転角度設定手段を有するので、原稿が見開き原稿で画像合成する場合、自在に画像を効率よく合成することができるという効果を奏する。
【００２３】
また、本発明（請求項５）にかかる画像形成装置は、請求項４において、１枚目の見開き原稿の第一面画像をフォーマットとし、第二面画像および２枚目以降の見開き原稿画像と重ね合わせて画像形成する場合、第一面画像を指定された回転角度にしたがって回転し、第二面画像と重ね合わせるため、原稿が見開き原稿で画像合成する場合、所望とする画像を自在に効率よく合成することができるという効果を奏する。
【００２４】
また、本発明（請求項６）にかかる画像形成装置は、請求項４において、１枚目の見開き原稿の第一面画像をフォーマットとし、第二面画像および２枚目以降の見開き原稿画像と重ね合わせて画像形成する場合、第一面画像を指定された回転角度にしたがって回転し、裏面画像と重ね合わせるので、原稿が見開き原稿で画像合成する場合でも、裏面画像の方向を自由に設定して効率よく出力することができるという効果を奏する。
【発明を実施するための最良の形態】
【００２５】
以下に添付図面を参照して、この発明にかかる画像形成装置の最良な実施の形態を詳細に説明する。
【００２６】
図１は、本発明を実施した画像形成装置の機構部の構成例を示す説明図である。自動原稿送り装置（以下、ＡＤＦという）１０１にある原稿台１０２に、原稿の画像面を上にして置かれた原稿束は、操作部上のスタートキーが押下されると、一番下の原稿から給送ローラ１０３および給送ベルト１０４によってコンタクトガラス１０５上の所定の位置に給送される。読み取りユニット１０６によってコンタクトガラス１０５上の原稿の画像データを読み取った後、読み取りが終了された原稿は、給送ベルト１０４および排送ローラ１０７によって排出される。さらに、原稿セット検知１０８にて原稿台１０２につぎの原稿が有ることを検知した場合、前原稿と同様にコンタクトガラス１０５上に給送される。給送ローラ１０３，給送ベルト１０４および排送ローラ１０７はモータによって駆動される。
【００２７】
第１トレイ１０９あるいは第２トレイ１１０、第３トレイ１１１に積載された記録紙は、それぞれ第１給紙装置１１２あるいは第２給紙装置１１３、第３給紙装置１１４によって給紙され、縦搬送ユニット１１５により感光体ドラム１１６に当接する位置まで搬送される。読み取りユニット１０６にて読み込まれた画像データは、書き込みユニット１１７からのレーザーによって感光体ドラム１１６に書き込まれ、現像ユニット１１８を通過することによってトナー像が形成される。そして、記録紙は感光体ドラム１１６の回転と等速で搬送ベルト１１９によって搬送されながら、感光体ドラム１１６上のトナー像が転写される。その後、定着ユニット１２０にて画像を定着させ、排紙ユニット１２１によって後処理装置のフィニッシャー１２２に排出される。
【００２８】
後処理装置のフィニッシャー１２２は、本体の排紙ローラによって搬送された記録紙を、通常、排紙ローラ１３２方向と、ステープル処理部方向に導くことができる。切り替え板１２４を上に切り替えることにより、搬送ローラ１２３を経由して通常排紙トレイ１２６側に排紙することができる。また、切り替え板１２４を下方向に切り替えることで、搬送ローラ１２５，１２７を経由して、ステープル台１２８に搬送することができる。
【００２９】
ステープル台１２８に積載された記録紙は、一枚排紙されるごとに紙揃え用のジョガー１２９によって、紙端面が揃えられ、一部のコピー完了と共にステープラ１３０によって綴じられる。ステープラ１３０で綴じられた記録紙群は自重によって、ステープル完了排紙トレイ１３１に収納される。
【００３０】
一方、排紙トレイ１２８は前後に移動可能な排紙トレイである。前後に移動可能な排紙トレイ１２８は、原稿毎、あるいは画像メモリによってソーティングされたコピー部毎に、前後に移動し、簡易的に排出されてくるコピー紙を仕分けるものである。
【００３１】
記録紙の両面に画像を作像する場合は、第１トレイ１０９あるいは第２トレイ１１０、第３トレイ１１１から給紙され作像された記録紙を排紙トレイ側に導かないで、経路切り替えのための分岐爪を上側にセットすることで、一旦両面給紙ユニット１３４にストックする。
【００３２】
その後、両面給紙ユニット１３４にストックされた記録紙は再び感光体ドラム１１６に作像されたトナー画像を転写するために、両面給紙ユニット１３４から再給紙され、経路切り替えのための分岐爪を下側にセットし、排紙トレイ１２６に導く。このように記録紙の両面に画像を作成する場合に両面給紙ユニット１３４は使用される。
【００３３】
感光体ドラム１１６，搬送ベルト１１９，定着ユニット１２０，排紙ユニット１２１および現像ユニット１１８は、メインモータによって駆動され、第１給紙装置１１２，第２給紙装置１１３，第３給紙装置１１４はメインモータの駆動をそれぞれの給紙クラッチによって伝達駆動される。縦搬送ユニット１１５はメインモータの駆動を中間クラッチによって伝達駆動される。
【００３４】
読み取りユニット（スキャナ）１０６は、原稿を載置するコンタクトガラス１０５と光学走査系で構成されており、光学走査系は、露光ランプ１３５，第１ミラー１３６，レンズ１３７，ＣＣＤイメージセンサ１３８等々で構成されている。露光ランプ１３５および第１ミラー１３６は、図示しない第１キャリッジ上に固定され、第２ミラー１３９および第３ミラー１４０は、図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。
【００３５】
原稿画像は、ＣＣＤイメージセンサ１３８によって読み取られ、電気信号（アナログ画像データ）に変換され、そしてデジタルデ−タ（画像デ−タ）に変換される。画像デ−タにはさらに数種の画像処理が施される。レンズ１３７およびＣＣＤイメージセンサ１３８を図１において左右方向に移動させることにより、画像倍率が変わる。すなわち、指定された倍率に対応してレンズ１３７およびＣＣＤイメージセンサ１３８の左右方向に位置が設定される。
【００３６】
書き込みユニット１１７は、レーザ出力ユニット１４１，結像レンズ１４２およびミラー１４３などで構成され、レーザ出力ユニット１４１の内部には、レーザ光源であるレーザダイオードおよびモータによって高速で定速回転する回転多面鏡（ポリゴンミラー）などが備わっている。レーザ出力ユニット１４１より照射されるレーザ光は、定速回転するポリゴンミラーで走査され、結像レンズ１４２を通り、ミラー１４３で折り返され、感光体ドラム１１６面上に集光し結像する。
【００３７】
レーザ光は、感光体ドラム１１６が回転する方向と直交する方向（主走査方向）に露光走査され、画像処理部のセレクタ（図示せず）より出力された画像データのライン単位の記録を行う。感光体ドラム１１６の回転速度と記録密度に対応した所定の周期で主走査を繰り返すことによって、感光体面上に画像（静電潜像）が形成される。上述のように、書き込みユニット１１７から出力されるレーザ光が、画像作像系の感光体ドラム１１６に照射される。
【００３８】
図示しないが感光体ドラム１１６の一端近傍の、レーザ光が照射される位置に、主走査同期信号を発生するビームセンサが配置されている。この主走査同期信号をもとに主走査方向の画像記録開始タイミングの制御、および画像データの入出力を行なうための制御信号の生成を行なう。
【００３９】
なお、この実施の形態における読み取りユニット（スキャナ）１０６は、６００ｄｐｉで１画素あたり８ｂｉｔ、すなわち２５６階調で読み取ったデータを送出する。また、書き込みユニット１１７は、標準として主走査・副走査方向ともに１２００ｄｐｉで２値データ、すなわち１ドットをオンかオフで書き込み、作像部によって高精細な画像が形成される。
【００４０】
また、レーザ光を高速変調して１ドットあたり２ｂｉｔデータ、すなわち４値で書込むモードも備えている。さらに、モードに応じて書込み解像度を可変する機能を備え、２４００ｄｐｉ、あるいは主走査方向１２００ｄｐｉ、副走査方向６００ｄｐｉの縦横扁平なピッチで書き込むことも可能である。
【００４１】
図２は、本発明の実施に形態にかかる操作部の構成を示す説明図である。図示するように、操作部には、液晶タッチパネル２１、テンキー２２、モードクリアキー２４、プリントキー２５、クリア／ストップキー２６が設けられている。
【００４２】
図３は、図２における操作部の液晶タッチパネルの表示一例を示した説明図である。この液晶タッチパネル２１には、各モード機能キー３１〜３１２、部数３１５，３１６、倍率３１７、画像形成装置の状態を示すメッセージなどが表示されると同時に各画像形成モードの設定／解除する場合にモードキーが配置されている。また、本発明の特徴である１枚目フォーマット合成キー３１０が配置されている。すなわち、自動濃度キー３１、濃度（濃い目）設定キー３２、濃度（薄め）キー３３、自動用紙選択キー３４、用紙選択キーとしてＡ４Ｙ（Ａ４横送り）キー３５、Ａ４Ｔ（Ａ４縦送り）キー３６、Ａ３Ｔキー３７、変倍キー３８、ソートキー３９、印字キー３１１、原稿キー３１２などがタッチ操作可能に表示される。
【００４３】
この液晶タッチパネル２１は、オペレータが液晶タッチパネル２１に表示されたキーにタッチすることで、選択された機能を示すキーが黒く反転する。また、機能の詳細を指定しなければならない場合（たとえば変倍であれは変倍値など）は、キーにタッチすることで、詳細機能の設定画面が表示される。このように、液晶タッチパネル２１は、ドット表示器を使用しているため、そのときの最適な表示をグラフィカルに行なうことが可能である。
【００４４】
図４は、図３の液晶タッチパネル２１における原稿キー３１２を押下した場合に表示子画面を示す説明図である。この表示画面は、原稿キー３１２を押下すると、見開き片面キー４１１、見開き両面キー４１２がタッチ操作可能に表示される。
【００４５】
図５は、図３の液晶タッチパネル２１における１枚目フォーマット合成キー３１０を押下した場合に表示子画面を示す説明図である。この表示画面は、１枚目フォーマット合成キー３１０を押下すると、第一面画像回転キー４２１、第二面画像回転キー４２２、テンキー４２３、確定キー４２４がタッチ操作可能に表示される。また、符号４２５は設定した画像回転角度を表示する表示部分である。
【００４６】
図６は、図１の画像形成装置における制御系の全体構成を示すブロック図である。この画像形成装置はメインコントローラ（以下、ＭＣＵと記述する）５１によって統括的に制御するように構成されている。ＭＣＵ５１には、スキャナの制御、原稿画像を画像メモリに書き込む制御、画像メモリからの作像を行なう制御などを行なう画像処理ユニット（以下、ＩＰＵと記述する）５２、オペレータに対する表示を行なう液晶表示部５３およびオペレータからの機能設定のための入力を行なうキー入力部５５とが接続されている操作部５３、Ｉ／Ｏポート５６、原稿サイズ検知６９を有するＡＤＦ１０１、ソータ５８が接続されている。
【００４７】
上記各分散装置とＭＣＵ５１は必要に応じて機械の状態、動作指令のやりとりを行なっている。また、記録紙の搬送などに必要なメインモータ、各種クラッチもＩ／Ｏポート５６に接続されており、ＭＣＵ５１によって制御される。
【００４８】
つぎに上述したＩＰＵ５２の構成について図７を参照して説明する。図７において、符号１３８はＣＣＤイメージセンサ、符号６２はＡ／Ｄコンバータ、符号６３は２色分離・シェーディング補正部、符号６４はフィルタ・変倍・色データ膨張部、符号６５は画像処理・書き込み制御・画像バス切り替え部、符号６６は画像メモリコントローラ（ＭＳＵ）、符号６７は画像メモリコントローラ（ＭＳＵ）６６などへの設定や、読み取りユニット１０６、書き込みユニット１１７の制御を行なうＣＰＵ、符号６８はワーキングメモリとして使用されるＲＡＭ、符号６９は制御プログラムが格納されているＲＯＭ、符号１１７は書き込みユニット、符号６１１はＡＰＳである。
【００４９】
つぎに、以上のように構成されたＩＰＵ５１の動作について説明する。露光ランプから照射された光は原稿面を照射し、原稿面からの反射光をＣＣＤイメージセンサ１３８に結像して受光し光電変換し、この変換信号をＡ／Ｄコンバータ６２にてデジタル信号に変換する。デジタル信号に変換された画像データは、２色分離・シェーディング補正部６３でシェーディング補正が施された後、フィルタ・変倍・色データ膨張部６４においてフィルタ補正、変倍色データ膨張、γ補正などが施される。
【００５０】
さらに画像処理・書き込み制御・画像バス切り替え部６５では、画像データの送り先を、画像メモリコントローラ（ＭＳＵ）６６または書き込みユニット１１７への切り替えが行なわれる。なお、画像メモリコントローラ（ＭＳＵ）６６と画像処理・書き込み制御・画像バス切り替え部６５は、双方向に画像データを入出力可能な構成となっている。
【００５１】
なお、このＩＰＵ５２には、読み取りユニット１０６から入力から入力される画像データ以外にも外部から供給される画像データ（たとえば、パーソナルコンピュータなどのデータ処理装置から出力されるデータ）も処理できるように複数データの入出力選択を行なう機能を有している。
【００５２】
図８は、図７における画像処理・書き込み制御・画像バス切り替え部６５の内部構成を示すブロック図である。図において、符号７１はスキャナマスク、符号７２は色変換部、符号７３は色消去部、符号７４はビット反転部、符号７５は印字合成部、符号７６は印字コア、符号７７はＲＯＭ、符号７８はＲＡＭ、符号７９はＭＳＵ合成部、符号７Ａは画像メモリコントローラ（ＭＳＵ）、符号７Ｂは画像データ選択部、符号７Ｃは画質コアである。
【００５３】
フィルタ・変倍・色データ膨張部６４によって画像処理された画像データを読み込むときに、領域をマスクするスキャナマスク７１を介しモードに応じて色変換が必要な場合は、色変換部７２により色変換処理を行ない、色消去処理、画像反転処理を行なう。また、ページや日付け、特殊文字などを印字合成部７５で合成して画像データを無条件に画像メモリコントローラ７Ａに保存する。印字コア７６はページ印字のページを作成したり、スタンプ文字などの文字コードを取り出して印字イメージデータを発生させる装置である。ＲＯＭ７７、ＲＡＭ７８は印字制御に関与している。画像データ選択部７Ｂは、前段で処理した画像データをスルーで画質コア７Ｃに出力するか、画像メモリコントローラ７Ａから画像データを画質コア７Ｃに出力するか、画像処理された画像データに対して画像メモリコントローラ７Ａからの画像を合成した画像データを画質コア７Ｃに出力するかを選択する。
【００５４】
つぎに、図９および図１０を参照して図８における画像メモリコントローラ７Ａおよび画像メモリ８３について説明する。画像メモリコントローラ７Ａは、１次圧縮部８１、１次伸長部８２、１次画像データの保存メモリであり、バンク（Ａ）８４・バンク（Ｂ）８５を有する画像メモリ（ＤＲＡＭ）８３、２次圧縮伸長部８６、大容量メモリであるＨＤＤ（ハードディスクドライブ）８７、伸長された登録画像の画像倍率を変更する変倍部８８を備えている。この各機能ブロックへの制御データの設定はＣＰＵ６７により行なわれる。
【００５５】
なお、上記画像データは、たとえばＪＰＥＧ（Ｊｏｉｎｔ  Ｐｈｏｔｏｇｒａｐｈｉｃ  Ｅｘｐｅｒｔｓ  Ｇｒｏｕｐ）で規定されているカラー静止画像のハフマン符号化と離散コサイン変換による圧縮方式にしたがって画像圧縮して記憶される。
【００５６】
画像メモリ（ＤＲＡＭ）８３による１次記憶装置は、メモリの指定した領域へのデータ書き込み、または画像出力時のメモリの指定した領域からのデータ読み出しが画像データの入力／出力時に要求されるデータ転送速度に略同期して行なえるように、たとえばＤＲＡＭなどの高速アクセスが可能なメモリを使用する。また、この１次記憶装置は、処理を行なう画像データの大きさにより複数のエリアに分割（この例では、バンクＡ，Ｂ）して画像データの入出力を同時に実行することが可能な構成（メモリコントローラとのインターフェイス部）を有している。
【００５７】
ＨＤＤ（ハードディスクドライブ）８７による２次記憶装置は、入力された画像の合成、ソーティングを行なうためのデータを保存しておく大容量のメモリである。この２次記憶装置においても上記１次記憶装置と同様に、画像入出力時に要求されるデータ転送速度に略同期してデータの書き込み／読み出しが可能である。
【００５８】
つぎに、画像メモリコントローラ７Ａの画像入力（図９参照）、画像出力（図１０参照）の動作例について説明する。
【００５９】
図９に示すように画像入力を行なう場合、前段の画像処理により画像加工された画像データ８Ｖ１は無条件にＭＳＵ合成部７９に供給され、すでに画像メモリに保存されているデータとの合成を行なう。ＭＳＵ合成部７９によって処理された画像データは読み取り時に画像回転の支持がある場合は、画像データを画像回転部８０において、保存するために９０度または１８０度、２７０度と回転された画像データ８Ｖ２を、１次圧縮部８１、１次伸長部８２によりデータを圧縮し、圧縮後のデータを１次記憶装置（画像メモリ（ＤＲＡＭ）８３）に書き込むと同時に２次圧縮伸長部８６でさらに圧縮を行なった後にＨＤＤ（ハードディスクドライブ）８７に保存する。
【００６０】
図１０に示すように画像出力を行なう場合、１次記憶装置（画像メモリ（ＤＲＡＭ）８３）に記憶されている画像データの読み出しを行なう。出力対象となる画像が１次記憶装置に記憶されている場合には、１次圧縮部８１、１次伸長部８２で画像データの伸長を行い、伸長後のデータあるいは伸長後のデータと入力データとの合成を行なった後のデータを出力する。この際、変倍部８８により伸長後の画像の倍率を変更が可能である。変倍した後の画像データに対して書き込み時に画像回転の指示がある場合には画像回転部８０によって画像データを９０度、１８０度、２７０度と回転し、ＭＳＵ合成部７９は、１次記憶装置の画像データと、出力先の選択（画像出力、１次記憶装置へのライトバック、両方の出力先への同時出力も可能）などの処理を行なう。出力対象となる画像が１次記憶装置に記憶されていない場合には、ＨＤＤ８７に記憶されている出力対象の画像データを２次圧縮伸長部８６で伸長し、伸長後のデータを１次記憶装置に書き込んでから、上述の画像出力動作を実行する。
【００６１】
また、前述した印字モードにおいて、任意のスタンプ用イメージはユーザが必要に応じて登録することができるように構成されている。スタンプイメージ登録モードになると読み取りユニット１０６からの画像をＨＤＤ８７に登録しておいた後、ユーザが必要なスタンプイメージを選択するとこのスタンプイメージがＨＤＤ８７から読み出されてＭＳＵ合成部７９に送られて原稿画像に合成される。
【００６２】
ところで、本来は原稿画像１枚に対して画像形成枚数が１枚の場合は、画像データを画像メモリに記憶する必要はないが、要求する画像形成枚数が複数の場合は、毎回、読み取りユニット１０６をスキャンする必要がないこと、または記録紙の搬送ジャムなどが発生した場合でも、再度原稿を読み込む必要がないことを考慮し、スキャンして読み込んだ画像は無条件に画像メモリ（ＤＲＡＭ）８３およびＨＤＤ８７に保存するようになっている。
【００６３】
つぎに、本発明における画像の合成処理例について図１１−１〜図１１−８を参照して説明する。図１１−１は見開き原稿であり、符号５０１は第一面画像、符号５０２は第二面画像である。１枚目フォーマット原稿として利用する画像は見開き原稿の第一面画像５０１である。図１１−２は２枚目以降の見開き原稿であり、符号５０３は第一面画像、符号５０４は第二面画像である。
【００６４】
ＡＤＦ１０１に原稿をセットした際に、見開き原稿の第一面画像５０１を１枚目フォーマット原稿として画像合成する場合、図３に示した１枚目フォーマット合成キー３１０を押下することにより、図５に示す画面を表示する。また、見開き原稿から片面コピーで合成したい場合には、図３において原稿キー３１２を押下することにより、図４に示す画面を表示する。
【００６５】
この図４の画面において見開き原稿を片面にコピーするときには見開き片面片面キー４１１を押下し、一方、見開き原稿を両面コピーする場合は見開き両面キー４１２を押下する。
【００６６】
図３において１枚目フォーマット合成キー３１０を押下した場合、図５で第一面画像を回転したい場合には第一面画像回転キー４２１を押下し、テンキー４２３で画像回転角度を設定することにより、読み取った第一面画像５０１を前述した図９・１０に示した画像回転部８０によって回転させることができる。
【００６７】
また、第二面画像５０２を画像回転させるには第二面画像回転キー４２２を押下し、テンキー４２３で画像の回転角度を設定することにより、読み取った第二面画像５０２を前述した図９・１０に示した画像回転部８０によって回転させることができる。このとき、画像の回転角度の設定を行なった後に確定キー４２４を押下する。また、このときの設定角度が表示部分４２５に表示（本例では１８０度回転して表示）される。
【００６８】
図１１−１の見開き原稿（第一面画像５０１、第二面画像５０２）を片面に合成してコピーする場合は、第一面画像５０１と第二面画像５０２を図１１−３の合成画像５０５が得られる。すなわち、この場合、第一面画像５０１は白画像であるためこれに第二面画像５０２が重ね合わされた合成画像５０５が生成されることになる。
【００６９】
また、同様に、１枚目原稿フォーマットとして２枚目以降の原稿画像を合成するため、図１１−１の第一面画像５０１と図１１−２の第一面画像５０３を上述の処理により図１１−４に示す合成画像５０６を生成する。また、図１１−１の第一面画像５０１と図１１−２の第二面画像５０４を上述と同様の処理により図１１−５に示す合成画像５０７を生成する。
【００７０】
さて、上述した合成処理は第一面画像５０１に対して所望とする画像を回転させないで合成した場合である。この合成処理の他に、第一面画像５０１に対して第二面画像５０２を９０度時計方向に回転させた合成画像は図１１−６の合成画像５０８に示すように生成される。また、第一面画像５０１に対して第一面画像５０３を９０度時計方向に回転させた合成画像は図１１−７の合成画像５０９に示すように生成される。第一面画像５０１に第二面画像５０４を１８０度回転させて得られる画像は図１１−８の合成画像５１０となる。同様に、第一面画像５０１、すなわちフォーマット画像を回転させて合成することもできる。
【００７１】
また、見開き原稿の第一面画像５０１をフォーマット原稿として第二面画像５０２および２枚目以降の見開き原稿画像と合成し、両面コピーを得る場合も同様に、第一面画像および第二面画像を回転させて所望の画像を得ることができる。また、両面コピーを行なう場合は、１枚目原稿の見開き原稿の第一面画像５０１は１枚目フォーマット画像となるため、生成される両面コピーの第一面画像は５０１の画像の状態とし、第二面画像は５０１と５０２とを合成した画像５０５となる。同様に２枚目以降の見開き原稿に対しても第一面画像は５０６、第二面画像は５０７となる。また、上述と同様に任意に画像回転を行なうことにより、合成画像５０８，５０９，５１０といったような画像を出力することもできる。
【産業上の利用可能性】
【００７２】
以上のように、本発明にかかる画像形成装置は、複写機などの画像形成装置またはイメージスキャナなどの画像読取装置に有用であり、特に、１枚目の見開き原稿の第一面画像をフォーマットとし、その第二面画像および２枚目以降の見開き原稿画像と重ね合わせて画像データを記録紙に出力する各種の印字システムに適している。
【図面の簡単な説明】
【００７３】
【図１】本発明を実施した画像形成装置の機構部の構成例を示す説明図である。
【図２】本発明の実施に形態にかかる操作部の構成を示す説明図である。
【図３】図２における操作部の液晶タッチパネルの表示一例を示した説明図である。
【図４】図３の液晶タッチパネルにおける原稿キーを押下した場合に表示子画面を示す説明図である。
【図５】図３の液晶タッチパネルにおける１枚目フォーマット合成キーを押下した場合に表示子画面を示す説明図である。
【図６】図１の画像形成装置における制御系の全体構成を示すブロック図である。
【図７】本発明の実施に形態にかかるＩＰＵの構成を示すブロック図である。
【図８】図７における画像処理・書き込み制御・画像バス切り替え部の内部構成を示すブロック図である。
【図９】本発明の実施に形態にかかる画像メモリコントローラおよび画像メモリの構成、画像入力動作を示すブロック図である。
【図１０】本発明の実施に形態にかかる画像メモリコントローラおよび画像メモリの構成、画像出力動作を示すブロック図である。
【図１１−１】１枚目の見開き原稿の第一面画像・第二画面画像例を示す説明図である。
【図１１−２】２枚目の見開き原稿の第一面画像・第二画面画像例を示す説明図である。
【図１１−３】１枚目の見開き原稿の第一面画像に１枚目の第二画面画像を重ね合わせた例を示す説明図である。
【図１１−４】１枚目の見開き原稿の第一面画像に２枚目の第一画面画像を重ね合わせた例を示す説明図である。
【図１１−５】１枚目の見開き原稿の第一面画像に２枚目の第二画面画像を重ね合わせた例を示す説明図である。
【図１１−６】１枚目の見開き原稿の第一面画像に１枚目の第二画面画像を重ね合わせ、９０度回転した例を示す説明図である。
【図１１−７】１枚目の見開き原稿の第一面画像に２枚目の第一画面画像を重ね合わせ、９０度回転した例を示す説明図である。
【図１１−８】１枚目の見開き原稿の第一面画像に２枚目の第二画面画像を重ね合わせ、１８０度回転した例を示す説明図である。
【００７４】
７Ａ  ＭＳＵ
２１  液晶タッチパネル
５１  ＭＣＵ
５２  ＩＰＵ
５３  操作部
６６  ＭＳＵ
６７  ＣＰＵ
７９  ＭＳＵ合成部
８０  画像回転部
８３  画像メモリ（ＤＲＡＭ）
８７  ハードディスク
１０６  読み取りユニット
３１０  １枚目フォーマット合成キー
３１２  原稿キー
４１１  見開き片面キー
４１２  見開き両面キー
４２１  第一面画像回転キー
４２２  第二面画像回転キー
４２３  テンキー
【図１】
2005191612.tif 000003
【図２】
2005191612.tif 000004
【図３】
2005191612.tif 000005
【図４】
2005191612.tif 000006
【図５】
2005191612.tif 000007
【図６】
2005191612.tif 000008
【図７】
2005191612.tif 000009
【図８】
2005191612.tif 000010
【図９】
2005191612.tif 000011
【図１０】
2005191612.tif 000012
【図１１−１】
2005191612.tif 000013
【図１１−２】
2005191612.tif 000014
【図１１−３】
2005191612.tif 000015
【図１１−４】
2005191612.tif 000016
【図１１−５】
2005191612.tif 000017
【図１１−６】
2005191612.tif 000018
【図１１−７】
2005191612.tif 000019
【図１１−８】
2005191612.tif 000020